(57)【要約】【課題】窓開閉手段により窓が開かれた部屋が無人になってもセキュリティが確保される空調機連動開閉窓システムを提供する。【解決手段】空調機連動開閉窓システムは、空調対象の部屋の室内温度を計測する室内温度計、上記部屋の窓の外側の外気温度を計測する外気温度計、上記部屋を空調する空調機、上記窓を開閉する窓開閉装置、および上記室内温度と上記外気温度とに基づいて上記空調機および上記窓開閉装置を制御する連動制御装置を備える空調機連動開閉窓システムにおいて、上記部屋内に人がいるか否かを検出する人感センサを備え、上記連動制御装置は上記窓開閉装置を制御して上記窓を開いているときに上記人感センサが上記部屋内に人がいないことを検出した場合上記窓を閉めるように上記窓開閉装置を制御する。【選択図】図１
2009144435.tif 000002
【特許請求の範囲】
【請求項１】
空調対象の部屋の室内温度を計測する室内温度計、上記部屋の窓の外側の外気温度を計測する外気温度計、上記部屋を空調する空調機、上記窓を開閉する窓開閉装置、および上記室内温度と上記外気温度とに基づいて上記空調機および上記窓開閉装置を制御する連動制御装置を備える空調機連動開閉窓システムにおいて、
上記部屋内に人がいるか否かを検出する人感センサを備え、
上記連動制御装置は、上記窓開閉装置を制御して上記窓を開いているときに上記人感センサが上記部屋内に人がいないことを検出した場合、上記窓を閉めるように上記窓開閉装置を制御することを特徴とする空調機連動開閉窓システム。
【請求項２】
上記部屋に延焼の危険があるときに火災信号を出力する火災警報機を備え、
上記連動制御装置は、人が上記部屋にいるときに上記火災信号を受信した場合、上記空調機を停止するとともに上記窓を閉めるように上記窓開閉装置を制御することを特徴とする請求項１に記載の空調機連動開閉窓システム。
【請求項３】
上記部屋の揺れを検知する地震計を備え、
上記連動制御装置は、人が上記部屋にいるときに所定の震度以上の揺れを観測した場合、上記窓を開けるように上記窓開閉装置を制御するとともに上記空調機を停止し、また所定の震度未満の揺れを観測した場合、上記窓を閉めるように上記窓開閉装置を制御するとともに上記空調機を運転することを特徴とする請求項１に記載の空調機連動開閉窓システム。
【請求項４】
上記窓に外側から近づく人を検出する第２人感センサを備え、
上記連動制御装置は、上記窓開閉装置を制御して上記窓を開いているときに上記第２人感センサが上記窓に近づく人を検出場合、上記窓を閉めるように上記窓開閉装置を制御するとともに上記空調機を運転することを特徴とする請求項１に記載の空調機連動開閉窓システム。
【発明の詳細な説明】
【技術分野】
【０００１】
この発明は、空調機により空調される空間に設けられた窓を空調機の動作に連動させて開閉する空調機連動開閉窓システムに関するものである。
【背景技術】
【０００２】
従来の空調機と連動した自動開閉窓装置は、窓開閉手段により開閉自在となった窓と、室内の空調を行う空調機と、室外温度を検知する室外温度検知センサと、室内温度を検知する室内温度検知センサとを備え、室内温度よりも室外温度が高い場合に空調機がオンとなり且つ窓が閉となると共に室内温度よりも室外温度が低い場合に空調機がオフとなり且つ窓が開となるように制御する制御手段を設けて成る（例えば、特許文献１参照）。
また、窓の開閉状態を検出し、且つ室内に人がいるか否かを検出し、窓が開状態のとき送風機の風量を小さくしたり、圧縮機および送風機の運転を停止したりするとき、室内に人がいるとき窓が開状態であることを報知している（例えば、特許文献２参照）。
【０００３】
【特許文献１】特開平５−１８４１号公報
【特許文献２】特開２００３−１２０９８７号公報
【発明の開示】
【発明が解決しようとする課題】
【０００４】
しかし、室内温度よりも室外温度が低い場合に空調機がオフとなり且つ窓が開けられるが、このような状態の部屋から人が出てしまうと窓が開いたままで人がいないというセキュリティ上の問題を有している。
【０００５】
この発明の目的は、窓開閉手段により窓が開かれた部屋が無人になってもセキュリティが確保される空調機連動開閉窓システムを提供することである。
【課題を解決するための手段】
【０００６】
この発明に係る空調機連動開閉窓システムは、空調対象の部屋の室内温度を計測する室内温度計、上記部屋の窓の外側の外気温度を計測する外気温度計、上記部屋を空調する空調機、上記窓を開閉する窓開閉装置、および上記室内温度と上記外気温度とに基づいて上記空調機および上記窓開閉装置を制御する連動制御装置を備える空調機連動開閉窓システムにおいて、上記部屋内に人がいるか否かを検出する人感センサを備え、上記連動制御装置は、上記窓開閉装置を制御して上記窓を開いているときに上記人感センサが上記部屋内に人がいないことを検出した場合、上記窓を閉めるように上記窓開閉装置を制御する。
【発明の効果】
【０００７】
この発明に係る空調機連動開閉窓システムの効果は、窓開閉装置により窓が開いているときでも人感センサにより部屋内に人がいないことを検出した場合、開いている窓を閉めるので、人がいなくなった部屋の窓が開いたままになることを防げて部屋のセキュリティを確保することができることである。
【発明を実施するための最良の形態】
【０００８】
実施の形態１．
図１は、この発明の実施の形態１に係る空調機連動開閉窓システムが配備された部屋である。
この発明の実施の形態１に係る部屋１は、外気を取り入れることのできる窓２が設けられている。
この発明の実施の形態１に係る空調機連動開閉窓システムは、部屋１の室内温度を計測する室内温度計３、部屋１の窓の外側の外気温度を計測する外気温度計４、部屋１を空調する空調機５、窓２を開閉する窓開閉装置６、室内温度と外気温度とに基づいて空調機５および窓開閉装置６を制御する連動制御装置７、部屋１内に人がいるか否かを検出する人感センサ８を備える。
空調機５は、連動制御装置７からの空調機制御信号により運転と停止とが切り替えられる。
窓開閉装置６は、連動制御装置７からの窓制御信号により窓を開いたり閉じたりする。
【０００９】
人感センサ８は、部屋１内を監視対象とする赤外線センサから構成され、人が部屋１内にいるか否かを示す人感信号を連動制御装置７に送る。人感信号は、部屋１内に人がいるときＨＩＧＨレベル、部屋１内に人がいないときＬＯＷレベルとなる。なお、人感センサ８は、赤外線センサ以外に超音波センサなど人を感知するものであれば良い。
【００１０】
連動制御装置７は、ＣＰＵ、ＲＯＭ、ＲＡＭ、インターフェ−ス回路を有するコンピュータから構成されている。そして、連動制御装置７には、室内温度計３から室内温度、外気温度計４から外気温度、人感センサ８から人感信号が入力されている。
図２は、この発明の実施の形態１に係る連動制御装置７で実行する連動制御の手順を示すフローチャートである。
連動制御装置７は、所定の周期で連動制御を開始する。
ステップＳ１０１で、部屋１に人がいるか否かを判断し、部屋１に人がいるときステップＳ１０２に進み、部屋１に人がいないときステップＳ１０７に進む。
ステップＳ１０２で、外気温度が室内温度から所定の値を減算した値以下か否かを判断し、外気温度が室内温度から所定の値を減算した値以下のときステップＳ１０３に進み、外気温度が室内温度から所定の値を減算した値を超えるときステップＳ１０５に進む。
ステップＳ１０３で、空調機５に運転の空調機制御信号を送って空調機５が運転中か否かを判断し、空調機５が運転中のときステップＳ１０４に進み、空調機５が停止中のとき連動制御を終了する。
ステップＳ１０４で、空調機５に停止の空調機制御信号を送り、窓開閉装置６に窓開の窓制御信号を送って連動制御を終了する。
ステップＳ１０５で、空調機５に停止の空調機制御信号を送って空調機５が停止中か否かを判断し、空調機５が停止中のときステップＳ１０６に進み、空調機５が運転中のとき連動制御を終了する。
ステップＳ１０６で、空調機５に運転の空調機制御信号を送り、窓開閉装置６に窓閉の窓制御信号を送って連動制御を終了する。
ステップＳ１０７で、空調機５に停止の空調機制御信号を送り、窓開閉装置６に窓閉の窓制御信号を送って連動制御を終了する。
【００１１】
この発明の実施の形態１に係る空調機連動開閉窓システムは、外気温度が室内温度より所定の値だけ低いときに外気を取り込んで部屋を空調するために窓開閉装置により窓が開いているときでも人感センサにより部屋内に人がいないことを検出した場合、開いている窓を閉めるので、人がいなくなった部屋の窓が開いたままになることを防げて部屋のセキュリティを確保することができる。
【００１２】
実施の形態２．
図３は、この発明の実施の形態２に係る空調機連動開閉窓システムが配備された部屋である。
この発明の実施の形態２に係る空調機連動開閉窓システムは、この発明の実施の形態１に係る空調機連動開閉窓システムに火災警報機１１からの火災信号が入力され、それにともない連動制御装置７Ｂが異なり、それ以外は同様であるので、同様な部分に同じ符号を付記し説明を省略する。
火災警報機１１からの火災信号は、部屋１が延焼の対象になる箇所に設置された図示しない感知器が火災を感知したときＬＯＷレベルからＨＩＧＨレベルに切り替わる。
【００１３】
連動制御装置７Ｂには、室内温度計３から室内温度、外気温度計４から外気温度、人感センサ８から人感信号、火災警報機１１から火災信号が入力されている。
図４は、この発明の実施の形態２に係る連動制御装置７Ｂで実行する連動制御の手順を示すフローチャートである。
連動制御装置７Ｂは、所定の周期で連動制御を開始する。
ステップＳ２０１で、部屋１に人がいるか否かを判断し、部屋１に人がいるときステップＳ２０２に進み、部屋１に人がいないときステップＳ２０９に進む。
ステップＳ２０２で、火災が発生したか否かを判断し、火災が発生したときはステップＳ２０８に進み、火災が発生していないときステップＳ２０３に進む。
ステップＳ２０３で、外気温度が室内温度から所定の値を減算した値以下か否かを判断し、外気温度が室内温度から所定の値を減算した値以下のときステップＳ２０４に進み、外気温度が室内温度から所定の値を減算した値を超えるときステップＳ２０６に進む。
ステップＳ２０４で、空調機５に運転の空調機制御信号を送って空調機５が運転中か否かを判断し、空調機５が運転中のときステップＳ２０５に進み、空調機５が停止中のとき連動制御を終了する。
ステップＳ２０５で、空調機５に停止の空調機制御信号を送り、窓開閉装置６に窓開の窓制御信号を送って連動制御を終了する。
ステップＳ２０６で、空調機５に停止の空調機制御信号を送って空調機５が停止中か否かを判断し、空調機５が停止中のときステップＳ２０７に進み、空調機５が運転中のとき連動制御を終了する。
ステップＳ２０７で、空調機５に運転の空調機制御信号を送り、窓開閉装置６に窓閉の窓制御信号を送って連動制御を終了する。
ステップＳ２０８で、空調機５に停止の空調機制御信号を送り、窓開閉装置６に窓閉の窓制御信号を送って連動制御を終了する。
ステップＳ２０９で、空調機５に停止の空調機制御信号を送り、窓開閉装置６に窓閉の窓制御信号を送って連動制御を終了する。
【００１４】
この発明の実施の形態２に係る空調機連動開閉窓システムは、火災が発生していないときにはこの発明の実施の形態１に係る空調機連動開閉窓システムと同様に、外気温度が室内温度より所定の値だけ低いときに外気を取り込んで部屋を空調するために窓開閉装置により窓が開いているときでも人感センサにより部屋内に人がいないことを検出した場合、開いている窓を閉めるので、人がいなくなった部屋の窓が開いたままになることを防げて部屋のセキュリティを確保することができる。
また、火災が発生したときには、その時点での窓の開閉状態に係わらず窓を閉めるとともに空調機５を停止するので、窓２や空調機５を介して部屋１に延焼することを防げる。
【００１５】
実施の形態３．
図５は、この発明の実施の形態３に係る空調機連動開閉窓システムが配備された部屋である。
この発明の実施の形態３に係る空調機連動開閉窓システムは、この発明の実施の形態１に係る空調機連動開閉窓システムに地震計１２からの地震信号が入力され、それにともない連動制御装置７Ｃが異なり、それ以外は同様であるので、同様な部分に同じ符号を付記し説明を省略する。
地震計１２からの地震信号は、地震計１２が地震を感知したとき揺れの大きさである震度を表している。なお、以下の説明では所定の震度を震度５弱としたが、これに限るものではない。
【００１６】
連動制御装置７Ｃには、室内温度計３から室内温度、外気温度計４から外気温度、人感センサ８から人感信号、地震計１２から地震信号が入力されている。
図６は、この発明の実施の形態３に係る連動制御装置７Ｃで実行する連動制御の手順を示すフローチャートである。
連動制御装置７Ｃは、所定の周期で連動制御を開始する。
ステップＳ３０１で、部屋１に人がいるか否かを判断し、部屋１に人がいるときステップＳ３０２に進み、部屋１に人がいないときステップＳ３１１に進む。
ステップＳ３０２で、地震が発生したか否かを判断し、地震が発生したときはステップＳ３０８に進み、火災が発生していないときステップＳ３０３に進む。
ステップＳ３０３で、外気温度が室内温度から所定の値を減算した値以下か否かを判断し、外気温度が室内温度から所定の値を減算した値以下のときステップＳ３０４に進み、外気温度が室内温度から所定の値を減算した値を超えるときステップＳ３０６に進む。
ステップＳ３０４で、空調機５に運転の空調機制御信号を送って空調機５が運転中か否かを判断し、空調機５が運転中のときステップＳ３０５に進み、空調機５が停止中のとき連動制御を終了する。
ステップＳ３０５で、空調機５に停止の空調機制御信号を送り、窓開閉装置６に窓開の窓制御信号を送って連動制御を終了する。
ステップＳ３０６で、空調機５に停止の空調機制御信号を送って空調機５が停止中か否かを判断し、空調機５が停止中のときステップＳ３０７に進み、空調機５が運転中のとき連動制御を終了する。
ステップＳ３０７で、空調機５に運転の空調機制御信号を送り、窓開閉装置６に窓閉の窓制御信号を送って連動制御を終了する。
ステップＳ３０８で、震度が５弱以上か否かを判断し、震度が５弱以上のときステップＳ３０９に進み、震度が４以下のときステップＳ３１０に進む。
ステップＳ３０９で、空調機５に停止の空調機制御信号を送り、窓開閉装置６に窓開の窓制御信号を送って連動制御を終了する。
ステップＳ３１０で、空調機５に運転の空調機制御信号を送り、窓開閉装置６に窓閉の窓制御信号を送って連動制御を終了する。
ステップＳ３１１で、空調機５に停止の空調機制御信号を送り、窓開閉装置６に窓閉の窓制御信号を送って連動制御を終了する。
【００１７】
この発明の実施の形態３に係る空調機連動開閉窓システムは、火災が発生していないときにはこの発明の実施の形態１に係る空調機連動開閉窓システムと同様に、外気温度が室内温度より所定の値だけ低いときに外気を取り込んで部屋を空調するために窓開閉装置により窓が開いているときでも人感センサにより部屋内に人がいないことを検出した場合、開いている窓を閉めるので、人がいなくなった部屋の窓が開いたままになることを防げて部屋のセキュリティを確保することができる。
また、震度５弱以上の地震が発生したときには、その時点での窓の開閉状態に係わらず窓を閉めるとともに空調機５を停止するので、窓２や空調機５を介して部屋１に延焼することを防げる。
【００１８】
実施の形態４．
図７は、この発明の実施の形態４に係る空調機連動開閉窓システムが配備された部屋である。
この発明の実施の形態４に係る空調機連動開閉窓システムは、この発明の実施の形態１に係る空調機連動開閉窓システムに窓２に外側から近づく人を感知する第２人感センサ１３を追加し、それにともない連動制御装置７Ｄが異なり、それ以外は同様であるので、同様な部分に同じ符号を付記し説明を省略する。
第２人感センサ１３は、部屋１の窓２の外側の監視領域を監視対象とする赤外線センサから構成され、人が部屋１の窓２の外側にいるか否かを示す第２人感信号を連動制御装置７Ｄに送る。第２人感信号は、窓２の外側の監視領域内に人がいるときＨＩＧＨレベル、窓２の外側の監視領域内に人がいないときＬＯＷレベルとなる。なお、第２人感センサ１３は、赤外線センサ以外に超音波センサなど人を感知するものであれば良い。
【００１９】
連動制御装置７Ｄには、室内温度計３から室内温度、外気温度計４から外気温度、人感センサ８から人感信号、第２人感センサ１３から第２人感信号が入力されている。
図８は、この発明の実施の形態３に係る連動制御装置７Ｄで実行する連動制御の手順を示すフローチャートである。
連動制御装置７Ｄは、所定の周期で連動制御を開始する。
ステップＳ４０１で、部屋１に人がいるか否かを判断し、部屋１に人がいるときステップＳ４０２に進み、部屋１に人がいないときステップＳ４０９に進む。
ステップＳ４０２で、外気温度が室内温度から所定の値を減算した値以下か否かを判断し、外気温度が室内温度から所定の値を減算した値以下のときステップＳ４０３に進み、外気温度が室内温度から所定の値を減算した値を超えるときステップＳ４０７に進む。
ステップＳ４０３で、空調機５に運転の空調機制御信号を送って空調機５が運転中か否かを判断し、空調機５が運転中のときステップＳ４０４に進み、空調機５が停止中のときステップＳ４０５に進む。
ステップＳ４０４で、空調機５に停止の空調機制御信号を送り、窓開閉装置６に窓開の窓制御信号を送ってステップＳ４０５に進む。
ステップＳ４０５で、窓２の外側の監視領域に人がいるか否かを判断し、窓２の外側の監視領域に人がいるときステップＳ４０６に進み、窓の外側の監視領域に人がいないとき連動制御を終了する。
ステップＳ４０６で、空調機５に運転の空調機制御信号を送り、窓開閉装置６に窓閉の窓制御信号を送って連動制御を終了する。
ステップＳ４０７で、空調機５に停止の空調機制御信号を送って空調機５が停止中か否かを判断し、空調機５が停止中のときステップＳ４０８に進み、空調機５が運転中のとき連動制御を終了する。
ステップＳ４０８で、空調機５に運転の空調機制御信号を送り、窓開閉装置６に窓閉の窓制御信号を送って連動制御を終了する。
ステップＳ４０９で、空調機５に停止の空調機制御信号を送り、窓開閉装置６に窓閉の窓制御信号を送って連動制御を終了する。
【００２０】
この発明の実施の形態４に係る空調機連動開閉窓システムは、窓２の外側の監視領域に人がいないときにはこの発明の実施の形態１に係る空調機連動開閉窓システムと同様に、外気温度が室内温度より所定の値だけ低いときに外気を取り込んで部屋を空調するために窓開閉装置により窓が開いているときでも人感センサにより部屋内に人がいないことを検出した場合、開いている窓を閉めるので、人がいなくなった部屋の窓が開いたままになることを防げて部屋のセキュリティを確保することができる。
また、窓２を開けて外気を活用して部屋１を空調しているとき窓２の外側の監視領域に人がいる場合、窓２を閉めるとともに空調機５を運転するので、窓２からの不審者の侵入を防げる。
【図面の簡単な説明】
【００２１】
【図１】この発明の実施の形態１に係る空調機連動開閉窓システムが配備された部屋である。
【図２】この発明の実施の形態１に係る連動制御装置で実行する連動制御の手順を示すフローチャートである。
【図３】この発明の実施の形態２に係る空調機連動開閉窓システムが配備された部屋である。
【図４】この発明の実施の形態２に係る連動制御装置で実行する連動制御の手順を示すフローチャートである。
【図５】この発明の実施の形態３に係る空調機連動開閉窓システムが配備された部屋である。
【図６】この発明の実施の形態３に係る連動制御装置で実行する連動制御の手順を示すフローチャートである。
【図７】この発明の実施の形態４に係る空調機連動開閉窓システムが配備された部屋である。
【図８】この発明の実施の形態４に係る連動制御装置で実行する連動制御の手順を示すフローチャートである。
【符号の説明】
【００２２】
１  部屋、２  窓、３  室内温度計、４  外気温度計、５  空調機、６  窓開閉装置、７、７Ｂ、７Ｃ、７Ｄ  連動制御装置、８  人感センサ、１１  火災警報機、１２  地震計、１３  第２人感センサ。
【図１】
2009144435.tif 000003
【図２】
2009144435.tif 000004
【図３】
2009144435.tif 000005
【図４】
2009144435.tif 000006
【図５】
2009144435.tif 000007
【図６】
2009144435.tif 000008
【図７】
2009144435.tif 000009
【図８】
2009144435.tif 000010